(57)【要約】【課題】寝返りを打ったときのずれを抑制できると共に、着脱を容易に行うことができ、更に長期間快適に使用することができる敷き寝具を提供する。【解決手段】一実施形態に係る敷き寝具は、使用者の身体が乗せられるベッドパッド１である。ベッドパッド１は、身体の荷重を受ける布製の上面部２と、上面部２の反対側に位置する布製の下面部３と、下面部３に固定されており、下面部３から突出して設けられた凸状のゴム部２０と、を備える。【選択図】図２
2017176473.tif 000002
【特許請求の範囲】
【請求項１】
使用者の身体が乗せられる敷き寝具であって、
前記身体の荷重を受ける布製の上面部と、
前記上面部の反対側に位置する布製の下面部と、
前記下面部に固定されており前記下面部から突出して設けられた凸状のゴム部と、
を備える敷き寝具。
【請求項２】
前記ゴム部は、シリコン樹脂によって構成されている、
請求項１に記載の敷き寝具。
【請求項３】
前記下面部からは複数の前記ゴム部が突出しており、
複数の前記ゴム部は、前記下面部において略均等に分散して配置されている、
請求項１又は２に記載の敷き寝具。
【発明の詳細な説明】
【技術分野】
【０００１】
本発明は、敷き寝具に関する。
【背景技術】
【０００２】
従来から、ベッドパッド、敷き布団又はマットレス等の敷き寝具が知られており、これらの敷き寝具は、いずれも使用者の身体が乗せられて使用される。敷き寝具は、使用者の身体が乗せられて体圧を分散させると共に適切な寝姿勢を保つことにより、使用者をリラックスさせて使用者を楽に休ませる機能を発揮する。
【０００３】
実開昭６２−１３１６６７号公報には、使用者の身体が乗せられるベッドパッドが記載されている。このベッドパッドは直方体状のマットレスの上に乗せられる敷き寝具であり、ベッドパッドの上には、掛け布団又は毛布等の掛け物が掛けられる。また、上記の公報には、ベッドパッドのずれを抑制する手段として、長方形状のベッドパッドの四隅付近においてベッドパッドの各辺から傾斜して伸びる４本のゴム状の帯状部材が記載されている。
【０００４】
図６は、このゴム状の帯状部材を備えたベッドパッドの構成を概略的に示す。図６に示されるベッドパッド１００は、互いに平行に延びる短辺１０１、各短辺１０１の端部から各短辺１０１に垂直に延びる長辺１０２、及び短辺１０１と長辺１０２とが直交する隅部１０３を備えた長方形状とされている。
【０００５】
ベッドパッド１００では、４本のゴム状の帯状部材１０４が設けられている。各帯状部材１０４は、各隅部１０３から一定距離離れた短辺１０１の箇所から短辺１０１に対して４５°の角度を成して延びており、各隅部１０３から一定距離離れた長辺１０２の箇所にまで延在している。各帯状部材１０４の一端は短辺１０１に縫い込まれており、各帯状部材１０４の他端は長辺１０２に縫い込まれており、各帯状部材１０４は、短辺１０１及び長辺１０２と共に直角三角形状を成している。このようにゴム状の帯状部材１０４が配置されたベッドパッド１００では、各帯状部材１０４をマットレスの底面の隅部に引っ掛けることにより、マットレスに対するベッドパッド１００のずれが抑制される。
【先行技術文献】
【特許文献】
【０００６】
【特許文献１】実開昭６２−１３１６６７号公報
【発明の概要】
【発明が解決しようとする課題】
【０００７】
前述したベッドパッド１００のような敷き寝具においては、使用者が寝返りを打ってもずれないことが求められる。前述のベッドパッド１００では、帯状部材１０４をマットレスの底面の隅部に引っ掛けることによりマットレスにベッドパッド１００を固定できるので、マットレスに対するベッドパッド１００のずれは抑制される。
【０００８】
しかしながら、ベッドパッド１００では、マットレスを手で持ち上げて、そのマットレスの底面に４本の帯状部材１０４のそれぞれを入れなければならないため、ベッドパッド１００を取り付けるのに手間がかかる。また、マットレスにベッドパッド１００を取り付けた状態からベッドパッド１００を外すのにも、マットレスの底面から帯状部材１０４を外さなければならないため手間がかかる。更に、ベッドパッド１００を長期間使用していると、帯状部材１０４が徐々に劣化して帯状部材１０４が伸びきった状態になることがある。帯状部材１０４が伸びきった状態になると、ベッドパッド１００をマットレスに確実に固定できなくなり寝返りを打ったときにベッドパッド１００がずれることがあるので、ベッドパッド１００を長期間快適に使うことができない。また、帯状部材１０４以外の部分が使えるにもかかわらず、ベッドパッド１００を廃棄しなければならない場合もある。このように、ベッドパッド１００等の既存の敷き寝具では、着脱に手間がかかると共に長期間快適に使えないという問題がある。
【０００９】
本発明は、寝返りを打ったときのずれを抑制できると共に、着脱を容易に行うことができ、更に長期間快適に使用することができる敷き寝具を提供することを目的とする。
【課題を解決するための手段】
【００１０】
本発明の一側面に係る敷き寝具は、使用者の身体が乗せられる敷き寝具であって、身体の荷重を受ける布製の上面部と、上面部の反対側に位置する布製の下面部と、下面部に固定されており下面部から突出して設けられた凸状のゴム部と、を備える。
【００１１】
この敷き寝具は、布製の下面部から突出して設けられた凸状のゴム部を有するので、この敷き寝具がマットレス等に乗せられたときには、ゴム部がマットレス等の上面に乗せられて変形する。すなわち、ゴム部は下面部とマットレス等との間で荷重を受けて変形し、マットレス等との間でより大きな摩擦力を生じさせるので、マットレス等に対して敷き寝具を滑りにくくすることができる。よって、マットレス等に対する敷き寝具のずれを抑制することができ、敷き寝具の上で使用者が寝返りを打っても、マットレス等に対する敷き寝具のずれを生じにくくすることができる。また、この敷き寝具では、前述の帯状部材が不要となり、単にマットレス等の上に乗せるだけで使用できるので、マットレス等に対する着脱を容易に行うことができる。更に、この敷き寝具において、下面部に固定されたゴム部は、前述の帯状部材のように伸びきって劣化するものではない。従って、このゴム部は長期間使用可能なものであり、ゴム部のずれの抑制機能を長期間維持させることができるので、敷き寝具を長期間快適に使用することができる。
【００１２】
また、前述のゴム部は、シリコン樹脂によって構成されていてもよい。シリコン樹脂は、他の材料と比較して、布製の部材に対する付着力が高いという特性を有する。従って、敷き寝具を長期間使用しても、ゴム部が下面部から剥がれ落ちにくくなっている。また、ゴム部がシリコン樹脂で構成されている場合には、ゴム部が他の材料で構成されている場合と比較して、擦り減ったり変色したりするのをより確実に抑制できる。更に、シリコン樹脂は、耐熱性、耐寒性及び離型性に優れているため、この点でもゴム部の劣化防止に寄与する。
【００１３】
また、下面部からは複数のゴム部が突出しており、複数のゴム部は、下面部において略均等に分散して配置されていてもよい。この場合、下面部に複数のゴム部が略均等に分散して配置されているので、複数のゴム部のそれぞれにおいて滑りが抑制される。従って、寝返りによる位置ずれを一層確実に抑制できると共に、敷き寝具が捲れる可能性を低減させることもできる。
【発明の効果】
【００１４】
本発明によれば、寝返りを打ったときのずれを抑制できると共に、着脱を容易に行うことができ、更に長期間快適に使用することができる。
【図面の簡単な説明】
【００１５】
【図１】実施形態に係る敷き寝具を含む寝具の配置の一例を示す斜視図である。
【図２】（ａ）は、図１の敷き寝具の上面部を示す平面図である。（ｂ）は、（ａ）のIIB−IIB線断面図である。
【図３】図１の敷き寝具の下面部及びゴム部を示す底面図である。
【図４】（ａ）は、図３の下面部のＡ部を拡大させた図である。（ｂ）は、下面部及びゴム部を示す縦断面図である。
【図５】（ａ）は、第１変形例の敷き寝具の下面部及びゴム部を示す底面図である。（ｂ）は、（ａ）の下面部及びゴム部を示すVB−VB線断面図である。（ｃ）は、第２変形例の敷き寝具の下面部及びゴム部を示す底面図である。（ｄ）は、（ｃ）の下面部及びゴム部を示すVD−VD線断面図である。
【図６】従来の敷き寝具の下面部及び帯状部材を示す底面図である。
【発明を実施するための形態】
【００１６】
以下、図面を参照しながら、本発明に係る敷き寝具の実施形態について説明する。以下の説明において、同一又は相当する要素には同一の符号を付し、重複する説明を省略する。また、本実施形態では、敷き寝具がベッドパッドである例について説明する。
【００１７】
図１は、本実施形態に係るベッドパッド１を示す斜視図である。この図１に示されるように、ベッドパッド１は、例えば、ベッドの床板Ｂの上に配置されたマットレスＭの上面に乗せられており、全体として長方形状を呈する。ベッドパッド１には、使用者の身体が乗せられる。また、ベッドパッド１は、例えば、シーツで包まれた状態で使用され、ベッドパッド１の上には毛布又は掛け布団等が乗せられる。
【００１８】
ベッドパッド１は、一般的な敷布団よりも薄手とされており、ベッドパッド１の厚さは、例えば０．５ｃｍ以上且つ７．０ｃｍ以下である。ベッドパッド１は、厚手のマットレスＭの上に乗せられて使用され、ベッドパッド１の上で寝る使用者の寝心地を改善するために設けられる。すなわち、ベッドパッド１は、薄手とされることにより、使用者がベッドパッド１に沈み込みすぎるのを抑制している。ベッドパッド１は、トッパーとも称される。
【００１９】
図２（ａ）はベッドパッド１を示す平面図であり、図２（ｂ）は図２（ａ）のIIB−IIB線断面図である。図２（ａ）及び図２（ｂ）に示されるように、ベッドパッド１は、布製の上面部２と布製の下面部３とを備えており、上面部２及び下面部３は、共に長方形状に延びる平布である。上面部２は、使用者の身体の荷重を受ける部位であり、下面部３は、上面部２の反対側に位置する。上面部２及び下面部３は、例えば互いに同一の形状及び大きさとされているが、上面部２及び下面部３の形状及び大きさは適宜変更可能である。
【００２０】
上面部２及び下面部３のそれぞれは、例えば、ポリエステル系合成繊維と綿との混紡素材によって構成されている。但し、上面部２及び下面部３の材料としては、上記の混紡素材以外のものを用いることも可能であり、例えば、綿、ポリエステル又はレーヨン等、種々のものを用いることが可能である。更に、上面部２及び下面部３は、不織布又はフェルトであってもよい。
【００２１】
上面部２は、二つの短辺２ａと二つの長辺２ｂとを有しており、下面部３も同様の短辺３ａと長辺３ｂとを有する。短辺２ａ，３ａの長さは、ベッドパッド１がシングルサイズである場合には、９７ｃｍ以上且つ１００ｃｍ以下とすることができ、一例として９７ｃｍである。なお、ベッドパッド１がセミダブルサイズ、ダブルサイズ、クイーンサイズ又はキングサイズである場合には、短辺２ａ，３ａの長さは上記とは異なる。また、長辺２ｂ，３ｂの長さは、１９５ｃｍ以上且つ２１０ｃｍ以下とすることができ、一例として１９５ｃｍである。上面部２の短辺２ａと下面部３の短辺３ａとが合わされた状態とされ、且つ上面部２の長辺２ｂと下面部３の長辺３ｂとが合わされた状態で、短辺２ａと短辺３ａ、及び長辺２ｂと長辺３ｂが縫い込まれることにより、ベッドパッド１のカバー１０が構成される。
【００２２】
上面部２と下面部３の間（カバー１０の内部）には、内部空間Ｓが形成されており、この内部空間Ｓには、柔軟性を有する内容物４が収容されている。内容物４は、例えば、微細な線状のポリエチレン素材が複雑に絡み合って形成された三次元樹脂構造体である。但し、内容物４としては、他にも種々のものを用いることが可能であり、例えば固綿又はシート状ウレタンであってもよい。
【００２３】
また、カバー１０には、ファスナー５が設けられており、このファスナー５の引手５ａを引いてファスナー５を開けることにより、内容物４をカバー１０から取り出せるようになっている。ファスナー５は、一の短辺２ａ，３ａに沿って延びると共に一の長辺２ｂ，３ｂに沿って延びるＬ字状とされている。
【００２４】
このように、ファスナー５は、短辺２ａ，３ａの一端から他端にまで延びると共に、長辺２ｂ，３ｂの一端から他端にまで延びているので、内容物４を出し入れしやすい配置とされている。また、内容物４を取り出した状態でカバー１０を洗濯することも可能となっている。
【００２５】
図３は、ベッドパッド１の下面部３を示す底面図である。図２及び図３に示されるように、下面部３には、複数の凸状のゴム部２０が固定されている。ここで、本明細書において、「ゴム部」とは、外力を受けたときに弾性変形する部位を示している。各ゴム部２０は、下面部３から突出しており、下面部３のずれ止めのために配置される。ベッドパッド１は、就寝時に使用されるものであり、基本的には毎日使用されるものであるため、下面部３のずれ止め対策を施すことは重要である。また、前述したように、ベッドパッド１の厚さは０．５ｃｍ以上且つ７．０ｃｍ以下であって、ベッドパッド１は薄手とされているので、上記のずれ止め対策は特に重要である。各ゴム部２０は、例えば平面視において円形状とされており、下面部３においてドット状に配置されている。
【００２６】
複数のゴム部２０は、下面部３の全面に略均等に分散して配置されている。ここで、本明細書において、「複数のゴム部が略均等に分散して配置されている」とは、ベッドパッド１がマットレスＭ上でずれない程度に下面部３に複数のゴム部２０が配置された状態を示しており、例えば、複数のゴム部が下面部の中心に対して互いに対称となるように配置されている状態、又は複数のゴム部が同心円状に分散して配置されている状態が含まれる。本実施形態では、複数のゴム部２０が格子状に分散して配置されている。
【００２７】
ゴム部２０は、ゴム状とされたシリコン樹脂である。ゴム部２０は、加温されて液状とされたシリコン樹脂が下面部３にドット状に滴下され、滴下されたシリコン樹脂が熱処理で硬化することによって下面部３に形成される。すなわち、下面部３にはシリコン樹脂からなるゴム部２０がドット状に印刷される。また、下面部３へのシリコン樹脂の滴下は、コンベア等で下面部３が搬送されながら行われるので、短時間で下面部３にゴム部２０を形成することが可能とされている。
【００２８】
図４（ａ）は下面部３に形成されたゴム部２０を拡大した図であり、図４（ｂ）は下面部３及びゴム部２０の縦断面図である。図３及び図４（ａ）に示されるように、本実施形態では、一のゴム部２０と、一のゴム部２０から最も近い他のゴム部２０とを結ぶ仮想線Ｌは、短辺２ａ，３ａ及び長辺２ｂ，３ｂに対して傾斜しており、その傾斜角度は例えば４５°である。
【００２９】
図４（ｂ）に示されるように、ゴム部２０は、その縦断面において、下面部３の表面３ｃから円弧状に延びる曲線部２１を有する。この縦断面において、下面部３の表面３ｃと、表面３ｃ及び曲線部２１の交点Ｐから延びる曲線部２１の接線Ｔとの成す角度θは、例えば１２０°以上且つ１５０°以下である。また、下面部３の表面３ｃに対する曲線部２１の頂部２１ａの高さＨは、例えば、０．５ｍｍ以上且つ４．０ｍｍ以下であるが、１．５ｍｍ以上且つ２．０ｍｍ以下であることがより好ましい。
【００３０】
次に、本実施形態に係るベッドパッド１から得られる効果について説明する。
【００３１】
本実施形態に係るベッドパッド１は、布製の下面部３から突出して設けられた凸状のゴム部２０を有するので、このベッドパッド１がマットレスＭに乗せられたときには、ゴム部２０がマットレスＭの上面に乗せられて変形する。すなわち、ゴム部２０は、下面部３とマットレスＭとの間で荷重を受けて変形し、マットレスＭとの間でより大きな摩擦力を生じさせるので、マットレスＭに対してベッドパッド１を滑りにくくすることができる。
【００３２】
よって、マットレスＭに対するベッドパッド１のずれを抑制することができ、ベッドパッド１の上で使用者が寝返りを打っても、マットレスＭに対するベッドパッド１のずれを生じにくくすることができる。また、ベッドパッド１では、図６に示されるような帯状部材１０４が不要となり、単にマットレスＭの上に乗せるだけで使用できるので、マットレスＭに対する着脱を容易に行うことができる。更に、このベッドパッド１において、下面部３に固定されたゴム部２０は、帯状部材１０４のように伸びきって劣化するものではない。従って、凸状のゴム部２０は長期間使用可能なものであり、ゴム部２０のずれの抑制機能を長期間維持させることができるので、ベッドパッド１を長期間快適に使用することができる。
【００３３】
また、ゴム部２０は、シリコン樹脂によって構成されている。シリコン樹脂は、他の材料と比較して、布製の部材に対する付着力（融着力）が高いという特性を有する。従って、ベッドパッド１を長期間使用しても、ゴム部２０が下面部３から剥がれ落ちにくくなっている。また、ゴム部２０がシリコン樹脂で構成されているので、他の材料で構成されたゴム部よりも、擦り減ったり変色したりするのをより確実に抑制できる。更に、シリコン樹脂は、耐熱性、耐寒性及び離型性に優れているため、この点でもゴム部２０の劣化防止に寄与する。
【００３４】
更に、シリコン樹脂で構成されたゴム部２０は、ポリエステルの布地及び綿の布地を含む、あらゆる布地に対して高い付着力を有するので、種々の布地に対する高い付着力が実現される。また、ゴム部２０は、カバー１０に設けられているので、カバー１０から内容物４を外してカバー１０を洗濯したときにも、シリコン樹脂で構成されたゴム部２０の剥がれ落ちを抑制できる。
【００３５】
また、カバー１０にアイロンをかけてゴム部２０が加熱されたときにも、シリコン樹脂で構成されたゴム部２０は、高い耐熱性を発揮する。従って、ゴム部２０がシリコン樹脂で構成されている場合には、洗濯やアイロンによって剥がれ落ちるのを抑制することもできるので、ベッドパッド１を一層長寿命化させることができる。そして、ベッドパッド１の下面部３におけるゴム部２０の滑り止め効果を長続きさせることができる。
【００３６】
また、下面部３からは複数のゴム部２０が突出しており、複数のゴム部２０は、下面部３において略均等に分散して配置されている。よって、下面部３に複数のゴム部２０が略均等に分散して配置されているので、複数のゴム部２０のそれぞれにおいて滑りが抑制される。従って、寝返りによる位置ずれを一層確実に抑制できると共に、ベッドパッド１が捲れる可能性を低減させることもできる。
【００３７】
以上、本発明の実施形態について説明したが、本発明は、前述した実施形態に限定されることなく、請求項に記載した要旨を変更しない範囲で変形してもよい。すなわち、本発明は、特許請求の範囲に記載した要旨を変更しない範囲で種々の変形が可能である。
【００３８】
例えば、前述の実施形態では、下面部３にドット状に配置された円形のゴム部２０について説明したが、ゴム部の配置態様、平面視における形状及び大きさは、前述のゴム部２０に限定されない。例えば、図５（ａ）及び図５（ｂ）に示されるベッドパッド３０のように、長方形状とされた下面部３３の四隅に四角形状のゴム部４０を配置してもよい。また、図５（ｃ）及び図５（ｄ）に示されるベッドパッド５０のように、ベッドパッド５０の下面部５３に長辺に沿って延びる波形形状のゴム部６０を複数配置してもよい。
【００３９】
以上のように、前述したゴム部は、円形、正方形、長方形、三角形、楕円形、長円形、水滴形、直線状、曲線状、ストライプ状、又はデザイン性を高めた花柄等、種々の形状とすることが可能である。前述したゴム部は、製品名又は会社名等を識別可能とする文字形状とすることも可能である。また、ゴム部の断面形状は、例えば山状であってもよく適宜変更可能である。更に、ゴム部の高さ、及び平面視におけるゴム部の面積、についても前述の実施形態に限られず適宜変更可能である。
【００４０】
また、前述の実施形態では、複数のゴム部２０が下面部３の全面に略均等に配置されるベッドパッド１について説明したが、ゴム部が下面部の一部のみに配置されるベッドパッドであってもよい。ゴム部は、寝返りを打つときに体圧の負荷がかかる部分のみ、例えば、使用者の肩部の負荷がかかる部分のみ、に配置されていてもよい。更に、ゴム部は、使用者の頭部、腰部、臀部、又は膝等を含む脚部の負荷がかかる部分のみに配置されていてもよい。また、ゴム部の数についても適宜変更可能であり、例えば、１つの平状のゴム部が下面に貼り付けられていてもよい。更に、既存のベッドパッドの下面部に、後付けで、ゴム部、又はゴム部を備えた布地が貼り付けられてもよい。
【００４１】
また、前述の実施形態では、シリコン樹脂で構成されたゴム部２０について説明したが、ゴム部の材料についても適宜変更可能である。すなわち、ゴム部としては、例えば、ウレタン樹脂、発泡顔料又はポリ塩化ビニルといった樹脂材料を用いることも可能である。
【００４２】
また、前述の実施形態では、マットレスＭの上に乗せられるベッドパッド１について説明したが、ベッドパッド１は敷布団の上に乗せられてもよく、ベッドパッド１が乗せられる対象は特に限定されない。更に、前述の実施形態では、ベッドパッド１の上に毛布又は掛け布団等が乗せられる例について説明したが、ベッドパッド１の上に掛け布団以外のものが乗せられていてもよく、ベッドパッド１の上側の構成についても適宜変更可能である。
【００４３】
また、前述の実施形態では、カバー１０の下面部３にゴム部２０が設けられており、ファスナー５で内容物４を取り出し可能なベッドパッド１を敷き寝具として説明した。しかしながら、本発明に係る敷き寝具は、ベッドパッド以外のものであってもよい。例えば、本発明に係る敷き寝具は、ファスナー及びカバーを有しない敷き寝具であってもよい。すなわち、本発明に係る敷き寝具は、内容物が取り出し不能な敷き寝具であってもよく、この場合も敷き寝具の下面部にゴム部を配置することによって、ベッドパッド１と同様の効果が得られる。また、本発明に係る敷き寝具は、キルトが施された敷き寝具であってもよい。
【符号の説明】
【００４４】
１，３０，５０…ベッドパッド（敷き寝具）、２…上面部、２ａ，３ａ…短辺、２ｂ，３ｂ…長辺、３，３３，５３…下面部、３ｃ…表面、４…内容物、５…ファスナー、５ａ…引手、１０…カバー、２０，４０，６０…ゴム部、２１…曲線部、２１ａ…頂部、Ｂ…床板、Ｈ…高さ、Ｌ…仮想線、Ｍ…マットレス、Ｐ…交点、Ｓ…内部空間、Ｔ…接線、θ…角度。
【図１】
2017176473.tif 000003
【図２】
2017176473.tif 000004
【図３】
2017176473.tif 000005
【図４】
2017176473.tif 000006
【図５】
2017176473.tif 000007
【図６】
2017176473.tif 000008